(57)【特許請求の範囲】
【請求項１】
送信チャネルを介してデジタル情報信号を送信するための装置であり、当該装置は、
−前記デジタル情報信号を入力するための入力手段、
−チャネル符号化された情報信号を得るために、前記デジタル情報信号をチャネル符号化するためのチャネル符号化手段、及び
−前記チャネル符号化された情報信号を出力するための出力手段、
を有し、前記チャネル符号化手段は、周波数ｆb／Ｍで単一の周波数成分を殆ど有する信号を受信時に生じさせる前記チャネル符号化された情報信号におけるデータパターンの長さを少なくとも制限するための手段を備え、ここでＭは２より大きい整定数であり、ｆbは前記チャネル符号化された情報信号におけるビット周波数であることを特徴とするデジタル情報信号を送信する装置。
【請求項２】
Ｍ＝３又はＭ＝４であることを特徴とする請求項１に記載の装置。
【請求項３】
請求項１に記載の装置において、制限するための前記手段は、
−極性制御信号に応じて前記チャネル符号化された情報信号の極性を反転するための極性反転手段、及び
−前記極性制御信号を生成するための極性制御信号生成手段
を有することを特徴とする装置。
【請求項４】
記録担体上のトラックに前記デジタル情報信号を記録する請求項１に記載の装置において、前記出力手段は当該記録担体のトラックに前記チャネル符号化された情報信号を書込み、制御するための前記手段は、周波数ｆb／Ｍで単一の周波数成分を殆ど有する信号を受信時に生じさせる前記チャネル符号化された情報信号における少なくともデータパターンの長さを制限し、ここでＭは２より大きい整定数であり、ｆbは前記チャネル符号化された情報信号におけるビット周波数であることを特徴とする装置。
【請求項５】
（ｎ−１）ビットの情報語をｎビットの変換された語に変換するための変換装置を有する請求項１又は３に記載の装置であり、ここで（ｎ−１）は偶整数であり、当該変換装置は、
−（ｎ−１）ビットの情報語を入力するｎ−１個の端子、
−各々が第１及び第２の入力部並びに出力部を持つｎ−３個の信号組合せユニット、及び
−ｎビットの変換された語を供給するためのｎ個の出力端子、
を有し、
ｉ番目の端子は、ｉ番目の前記信号組合せユニットの前記第１入力部に結合され、当該ユニットの出力部は前記変換装置のｉ番目の出力端子に結合され、
（ｎ−１）／２番目の端子は、（ｎ−３）／２番目の信号組合せユニットの第２入力部及び前記変換装置の（ｎ−１）／２番目の出力端子に結合され、
（ｉ＋１）番目の信号組合せユニットの出力部は、ｉ番目の信号組合せユニットの第２入力部に結合され、ｉは１≦ｉ≦（ｎ−３）／２を維持する整変数であり、
ｊ番目の端子は、（ｊ−２）番目の信号組合せユニットの第１入力部に結合され、当該ユニットの出力部は、前記変換装置の（ｊ＋１）番目の出力端子に結合され、
（ｎ＋１）／２番目の端子は、（ｎ−１）／２番目の信号組合せユニットの第２入力部及び前記変換装置の（ｎ＋３）／２番目の出力端子に結合され、
（ｊ−２）番目の信号組合せユニットの出力部は、（ｊ−１）番目の信号組合せユニットの第２入力部に結合され、ｊは（ｎ＋３）／２≦ｊ≦ｎ−１を維持する整変数であり、
前記変換装置の（ｎ＋１）／２番目の出力端子は、定電圧の接点に結合される
ことを特徴とする装置。
【請求項６】
（ｎ−１）ビットの情報語をｎビットの変換された語に変換する変換装置を有する請求項１又は３に記載の装置であり、ここでｎは整数であり、当該変換装置は、
−（ｎ−１）ビットの情報語を入力するためのｎ−１個の端子、
−各々が第１及び第２の入力部並びに出力部を持つｎ−２個の信号組合せユニット、及び
−前記ｎビットの変換された語を出力するためｎ個の出力端子、
を有し、
ｉ番目の端子はｉ番目の前記信号組合せユニットの前記第１入力部に結合され、当該ユニットの出力部は前記変換装置のｉ番目の出力端子に結合され、
（ｉ＋１）番目の端子は、ｉ番目の前記信号組合せユニットの前記第２入力部に結合され、
ｉは１≦ｉ≦（ｎ−２）を維持する整変数であり、
前記変換装置のもう一つの出力端子は、定電圧の接点に結合されることを特徴とする装置。
【請求項７】
ｎは９に等しいことを特徴とする請求項５又は６に記載の装置。
【請求項８】
請求項５、６又は７に記載の装置において、当該変換装置は、直列形で前記入力部に供給される（ｎ−１）ビットの情報語を並列形に変換するための入力部及びｎ−１個の出力部を持つ直並列変換器を有し、当該直並列変換器のｎ−１個の出力部の各々は、前記変換装置のｎ−１個の端子の対応する端子に結合されることを特徴とする装置。
【請求項９】
請求項３に記載の装置における前記チャネル符号化手段としての使用のため、且つ（ｎ−１）ビットの情報語をｎビットのチャネル語にチャネル符号化するためのチャネル符号化器であり、当該チャネル符号化器は、
−前記極性反転手段、
−前記極性制御信号生成手段、
−前記ｎビットのチャネル語を供給するための出力手段、並びに
−（ｎ−１）ビットの情報語をｎビットの変換された語に変換するための変換装置であり、ここで（ｎ−１）は偶整数であり、当該変換装置は、
−（ｎ−１）ビットの情報語を入力するｎ−１個の端子、
−各々が第１及び第２の入力部並びに出力部を持つｎ−３個の信号組合せユニット、及び
−ｎビットの変換された語を供給するためのｎ個の出力端子、
を有し、
ｉ番目の端子は、ｉ番目の前記信号組合せユニットの前記第１入力部に結合され、当該ユニットの出力部は前記変換装置のｉ番目の出力端子に結合され、
（ｎ−１）／２番目の端子は、（ｎ−３）／２番目の信号組合せユニットの第２入力部及び前記変換装置の（ｎ−１）／２番目の出力端子に結合され、
（ｉ＋１）番目の信号組合せユニットの出力部は、ｉ番目の信号組合せユニットの第２入力部に結合され、ｉは１≦ｉ≦（ｎ−３）／２を維持する整変数であり、
ｊ番目の端子は、（ｊ−２）番目の信号組合せユニットの第１入力部に結合され、当該ユニットの出力部は、前記変換装置の（ｊ＋１）番目の出力端子に結合され、
（ｎ＋１）／２番目の端子は、（ｎ−１）／２番目の信号組合せユニットの第２入力部及び前記変換装置の（ｎ＋３）／２番目の出力端子に結合され、
（ｊ−２）番目の信号組合せユニットの出力部は、（ｊ−１）番目の信号組合せユニットの第２入力部に結合され、ｊは（ｎ＋３）／２≦ｊ≦ｎ−１を維持する整変数であり、
前記変換装置の（ｎ＋１）／２番目の出力端子は、定電圧の接点に結合されることを特徴とする変換装置
を有することを特徴とするチャネル符号化器。
【請求項１０】
請求項９に記載のチャネル符号化器において、前記極性制御信号生成手段は、前記変換装置に供給される情報語及び前記極性反転手段によって生成されるチャネル語に応じて前記極性制御信号を生成することを特徴とするチャネル符号化器。
【請求項１１】
請求項１０に記載のチャネル符号化器において、前記極性制御信号生成手段は、前記チャネル語のデータストリームがｆb／Ｍに等しく、所定の時間間隔を超過する単一の周波数成分を持つデータ系列を持たないこのような方法で、前記極性制御信号を生成し、ここでＭは２より大きい整定数であり、ｆbは、前記チャネル符号化された情報信号におけるビット周波数であることを特徴とするチャネル符号化器。
【請求項１２】
請求項９、１０又は１１に記載のチャネル符号化器において、ここでｎ＝９であり、前記極性制御信号生成手段は、
−８ビットの情報語を入力するための第１入力手段、
−９ビットのチャネル語を入力するための第２入力手段、
−極性制御信号を供給するための出力手段、
−前記入力手段に結合される第１及び第２入力部並びに出力部を持つ第１信号組合せ手段、
−前記第１信号組合せ手段の前記出力部に結合される第１入力部、前記入力手段に結合される第２入力部及び出力部を持つ第２信号組合せ手段、
−前記第２信号組合せ手段の前記出力部に結合される第１入力部、第２入力部及び前記出力手段に結合される出力部を持つ第３信号組合せ手段、及び
−前記第２入力手段に結合される第１入力部、定電圧の信号を入力するための第２入力部及び前記第３信号組合せ手段の前記第２入力部に結合される出力部を持つ第４信号組合せ手段、
を有することを特徴とするチャネル符号化器。
【請求項１３】
記録担体上のトラックにデジタル情報信号を記録するための装置であり、当該装置は、
−前記デジタル情報信号を入力するための入力手段、
−チャネル符号化された情報信号を得るために、請求項９から１２の何れか一項に記載のチャネル符号化器、及び
−前記記録担体上の前記トラックに前記チャネル符号化された情報信号を書込むための書込み手段、
を有することを特徴とする装置。
【請求項１４】
請求項１に記載の装置で得られ得る、ｎビットの変換された情報語を（ｎ−１）ビットの再変換された情報語に再変換するための再変換装置であり、ここでｎは整数であり、当該再変換装置は、
−前記ｎビットの変換された情報語を入力するｎ個の入力端子、
−各々が第１及び第２の入力部並びに出力部を持つ、ｎ−１個の信号組合せユニット、及び
−前記（ｎ−１）ビットの再変換された語を供給するためのｎ−１個の端子、
を有し、
ｉ番目の入力端子は、ｉ番目の前記信号組合せユニットの前記第１の入力部に結合され、当該ユニットの出力部は前記再変換装置のｉ番目の端子に結合され、
（ｉ＋１）番目の入力端子は前記ｉ番目の信号組合せユニットの第２入力部に結合され、
ｉは１≦ｉ≦（ｎ−１）を維持する整変数である
ことを特徴とする再変換装置。
【請求項１５】
ｎは９に等しいことを特徴とする請求項１４に記載の再変換装置。
【請求項１６】
請求項１４又は１５に記載の再変換装置において、当該再変換装置はさらに、並列形であるｎ−１個の入力部に供給される（ｎ−１）ビットの再変換される情報語を直列形に変換するためのｎ−１個の入力部及び１個の出力部を持つ並直列変換器を有し、前記並直列変換器の前記ｎ−１個の入力部の各々は、前記再変換装置のｎ−１個の端子の対応する端子に結合されることを特徴とする再変換装置。
【請求項１７】
送信チャネルを介してデジタル情報信号を送信するための方法において、当該方法は、
−前記デジタル情報信号を入力するステップ、
−チャネル符号化された情報信号を得るために、前記デジタル情報信号をチャネル符号化するステップ、
−前記チャネル符号化された情報信号を出力するステッフ、
を有し、
当該チャネル符号化するステップは、ｆb／Ｍに等しい単一の周波数成分を持つ前記チャネル符号化された情報信号において少なくともデータ系列の長さを制限するサブステップを有し、ここでＭは２より大きい整定数であり、ｆbは前記チャネル符号化された情報信号におけるビット周波数であることを特徴とする方法。
【請求項１８】
記録担体上のトラックに前記情報信号を記録するための請求項１７に記載の方法において、前記出力ステップはさらに、前記記録担体上のトラックにチャネル符号化された情報信号を書込むサブステップを有することを特徴とする方法。
【発明の詳細な説明】
技術分野
本発明は、送信媒体を介してデジタル情報信号を送信する装置、記録担体上のトラックにこのデジタル情報信号を記録する装置、（ｎ−１）ビットの情報語をｎビットの変換された語に変換する変換装置、（ｎ−１）ビットの情報語をｎビットのチャネル語にチャネル符号化するチャネル符号化器で、前記変換装置を有するチャネル符号化器、及びｎビットの変換された情報語を（ｎ−１）ビットの再変換された情報語に再変換(reconverted)する再変換装置に関する。さらに、本発明は、送信する方法にも関する。
背景技術
記録担体上にデジタル情報信号を記録するために、冒頭に定められた装置は、この明細書の終わりに見られる関連文献のリストにおいて文献Ｄ１であるUSP5,142,421から既知である。磁気記録担体上のランレングス制限(Run-length-limited)された系列の記録の題目に関する他の文献は、関連文献のリストにおいて文献Ｄ２である。
以下に行われる議論は、記録及び再生装置に関して続けられる。しかしながら、この以下に行われる議論は、同様に送信システムに十分応用できることに注意すべきである。
記録担体、特に磁気記録担体、からデジタル情報を再生する再生装置は、当業者には十分既知である。関連文献は、関連文献のリストにおいて文献Ｄ３であるUSP5,469,462及び関連文献のリストにおいて文献Ｄ４であるEP-A549,030について行われている。
再生装置は、利得制御のためのＡＧＣ回路及び記録担体から読取られる信号の等化制御のためのスロープ等化器(slope equalizer)をしばしば有するので、クロック及びデータ回復は、最小量の誤りで実行することができる。従来の再生装置は、検知されるデジタル信号で時々高い誤り率を示す。
発明の開示
本発明に従って、記録担体上のトラックにデジタル情報信号を記録するための装置は、
−このデジタル情報信号を入力するための入力手段、
−チャネル符号化された情報信号を得るために、このデジタル情報信号をチャネル符号化するためのチャネル符号化手段、
−このチャネル符号化された情報信号を出力するための出力手段、
を有する。このチャネル符号化手段は、周波数ｆb／Ｍで単一の周波数成分を殆ど有する信号を受信時に生じさせるチャネル符号化された情報信号における少なくともデータパターンの長さを制限するための手段を備え、ここでＭは２より大きい整定数であり、ｆbはこのチャネル符号化された情報信号におけるビット周波数である。
本発明は、以下の認識に基づいている。ランレングス制限（ＲＬＬ）変調コードは、デジタル送信及び記録システムに広く用いられている。これらは、前記符号化されたデータストリームにおいて１つ以上のランレングス制約条件を導入する。適例はｋ制約条件であり、これは同一記号の実行がせいぜいｋ＋１個の記号間隔長であると規定する。この制約条件は、データ遷移が定期的に発生し、これによって、データ受信機におけるタイミング回復方式の適切な操作を促進することを保証する。ＤＣを拒絶するシステムにとって、このｋ制約条件は自動利得制御にも有利となる。
現在の送信及び記録システムは、あっても少しだけしか超過していない帯域幅を持つ傾向がある。ナイキスト比率データパターンは送信又は記録される及び超過した帯域幅は無視できる場合、受信される信号は、ほとんどノイズだけからなるだろう。この場合、タイミング回復、利得制御又は等化適応のためのどんな制御情報も抽出することを本質的に不可能にする。結果として、これらタイミング回復、利得制御及びデータ受信における適応ループは、集束しなくてもよい。このアノマリ(anormaly)を避けるために、ナイキスト比率データパターンは制限時間を持つことが望ましい。この制約条件は、ナイキスト比率パターンの最大ランレングスをｋ2＋１個の記号間隔に制限するｋ2制約条件を介して実行される。このｋ2制約条件はそれ自体、前に用いられたように見えないが、ＰＲＭＬチャネル（文献Ｄ２参照）の出力部で零記号のランレングスに関する制約の結果、存在する変調コードにそれとなく現れる。
これらｋ及びｋ2制約条件は、全制御ループの適当な操作に必要である一方、これらは十分となる必要はない。
本発明は、データ受信機、即ちスロープ等化器が存在する受信機の特定の部類に十分な量を実行することを必要とする制約条件に関係する。スロープ等化器は、高周波で段階的なロールオフ(roll-off)を持つチャネルにしばしば用いられる。前記ロールオフのスロープ又は程度は、事前に確かではない傾向があり、この理由のために、前記スロープ等化器は適応しなければならない。前記チャネルの利得の変化は、ＡＧＣ回路を介し補償されるのに対し、前記スロープ等化器は、低周波から高周波の間の不均衡を補償する。
前記利得とスロープとを共同して決めることを可能にするために、前記入力される信号は少なくとも２つの別個の周波数成分を含まなければならない。この送信されたデータが延長された時間周期で前記チャネルの通過帯域内で単一の成分のみを持つ場合、ＡＧＣ及びスロープ等化器は、集束しなくてもよい。このアノマリを回避するために、このような成分を生じるデータパターンの最大ランレングスは制限される。
実用的な送信及び記録システムは、常に１つ以上のＡＣ結合を含み、少ししか超過した帯域幅を持たない傾向がある。従って、これらの通過帯域は、除かれた両端の周波数でＤＣからナイキスト周波数まで及ぶことを考慮することができる。
好ましくは、この通過帯域内の単一の周波数成分をせいぜい持つ全てのデータパターンは、本発明に従って長さに関し制限されるべきである。これらパターンは、３Ｔ、４Ｔ及び６Ｔの周期を持つデータパターンであり、ここでＴはビット時間である。
よって、本発明に従い、変調コードは、これらの長さが所定の長さを越えないという意味において、１つ以上のこれらデータパターンに関する抑制を導入するコードを提案する。
本発明はさらに、前記記録装置に含まれるチャネル符号化器で使用される特定の変換装置であり、対応する再生装置で使用される対応する再変換装置である。
本発明のこれら及び他の特徴を以下の図面において述べられる実施例を参照してさらに明らかになるだろう。
【図面の簡単な説明】
第１図は、記録担体上に記録されたデジタル情報信号を再生する再生装置を示し、
第２図は、前記再生装置に通常存在するＡＧＣ回路を用いて前記記録担体から読取られる信号の増幅及び前記再生装置に通常存在するスロープ等化器を用いて前記記録担体から読取られる信号の等化を示し、
第３図は、チャネル符号化器を具備する本発明に従う記録装置を示し、
第３Ａ図は、第３図の装置の更なる詳細図を示し、
第４図は、第３図のチャネル符号化器で使用される８から９ビットへの変換器ユニットの実施例を示し、前記９ビットの変換された語を本来の８ビットの語に再変換する９から８ビットへの再変換ユニットも示し、
第５図は、第４図の変換器ユニットを具備するチャネル符号化器及び対応するチャネル復号器を示し、
第６図は、第５図のチャネル符号化器で使用される極性制御信号発生器の一例を示し、
第７図は、前記チャネル符号化器における前記変換器ユニットのもう一つの実施例を示す。
発明を実施するための最良の形態
記録担体上のトラックからデジタル情報信号を再生する再生装置は、再生された情報信号の振幅を制御する自動利得制御回路と、この再生された情報信号の周波数特性を制御するスロープ等化器とを通常は有する。第１図は上記再生装置の実施例を示す。磁気読取りヘッド１の形の読取り手段は、磁気記録担体２から情報を読取るために存在する。この記録担体２から読取られた信号は、自動利得制御回路４に出力され、この回路は利得制御信号を入力するための制御信号入力部６及び利得制御された出力信号を出力するための出力部８を持つ。この信号はスロープ等化回路１２の入力部１０に入力され、この回路は制御信号入力部１４及び等化された出力信号を出力するための出力部１６を持つ。この等化された出力信号は、ビット検知回路２０の入力部１８に入力される。このビット検知回路は、当該ビット検知回路に含まれるＡ／Ｄ変換器を用いて前記スロープ等化回路１２からの等化された出力信号に関してビット検知を実行し、例えばビタビ検知器の検知で後続する。前記Ａ／Ｄ変換器に対するサンプル比率は、前記信号自身から抽出されてもよい。この再生された情報信号は、前記ビット検知回路２０の出力部２２において利用可能である。
図示しないが、前記ビット検知ユニット２０に含まれる制御信号生成ユニットは、第１制御信号Ｓ1を制御信号出力部２６に出力するため及び第２制御信号Ｓ2を前記ビット検知ユニット２０の制御信号出力部２８に出力するために存在する。この制御信号出力部２６は、前記自動利得制御回路４の制御信号入力部６に結合されるので、この第１制御信号Ｓ1はこの自動利得制御信号回路４の設定を制御する。前記制御信号出力部２８は、前記スロープ等化回路１２の制御信号入力部１４に結合されるので、この第１制御信号Ｓ2は当該等化回路１２におけるスロープ等化器の設定を制御する。
これら第１及び第２制御信号Ｓ1及びＳ2は、十分既知の方法で得ることが可能である。参考文献は、関連文献のリストにおいて、文献Ｄ５のIEEE Transaction of Cherubiniに関して行われている。
前記自動利得制御回路４及びスロープ等化回路１２の機能は、さらに第２図を参照して説明されるだろう。前記第１制御信号Ｓ1に応じて、前記ＡＧＣ回路４は、周波数独立である制御信号入力部に入力される信号について増幅を実行する。これは第２図において２本の線Ａ1及びＡ2を用いて示され、前記制御信号Ｓ1に対する２つの異なる制御信号値に応じて２つの増幅率Ａ1及びＡ2をそれぞれ表す。第２制御信号Ｓ2に応じて、前記等化回路１２は、制御信号入力部に入力される信号について周波数依存増幅を実行する。これは第２図において２本の線Ｆ1及びＦ2を用いて示され、前記制御信号Ｓ2に対する２つの異なる制御信号値に応じて２つの異なるフィルタ特性Ｆ1及びＦ2をそれぞれ表す。
前記記録担体から読取られた信号に応じて、前記ビット検知回路２０は、正確なビット検知となるように、２つの制御信号Ｓ1及びＳ2を生成する。
この記録担体から読取られた信号は、１つの周波数成分を有するアナログ再生信号であると仮定される。言い換えると、前記記録担体から読取られ、且つ、アナログ形であるこの再生情報信号の周波数特性は、１つの周波数成分を持つ。記録すべきデジタル情報信号における様々なデータパターンは、単一の周波数成分を持つアナログ形の再生情報信号となる。このようなデータ系列の例は以下のようである。
0003976343.tif 000002
他のパターンも可能である。
上記で与えられた最初のパターンは、周波数値ｆb／３で再生に関する単一の周波数成分を持つアナログ信号となり、ここでｆbは情報信号のビット周波数であり、この周波数は１／３Ｔに等しく、ここでＴは前記デジタル情報信号におけるビット時間間隔である。上記で与えられた２つの４Ｔパターンは、両方とも周波数値ｆb／４で単一の周波数成分を持つ再生に関するアナログ信号となり、この周波数は１／４Ｔに等しく、最後のパターンは、周波数値ｆb／６で単一の周波数成分を持つ再生に関するアナログ信号となり、この周波数値は１／６Ｔに等しい。
例えば、前記３ＴパターンもＤＣで周波数スペクトラムにおけるピークを持つことに注意すべきである。しかしながら、送信チャネル（例えば記録−再生パス）は、この周波数に対して導通しない。同じ方法において、上記で与えられたパターンの幾つかは、（１／２Ｔである）ナイキスト周波数で周波数スペクトラムにおけるピークを示す。しかし一般的には、この送信チャネルもまた前記ナイキスト周波数に対して導通しない。結果として、この再生されたアナログ信号は、通例、ＤＣ及びナイキスト周波数で周波数のピークを持たない。
前記記録担体から読取られた多周波成分信号に対し、前記ビット検知回路は、前記ＡＧＣ回路が前記値Ａ1に設定され、且つ、前記スロープ等化器が前記曲線Ｆ2に設定されるような制御信号Ｓ1及びＳ2を生成すると仮定する。これは、周波数依存増幅率Ａ1．Ｆ2となり、この周波数依存増幅率は、周波数値ｆ1で一定の増幅率Ｍ(ｆ1)を意味する。単一の成分信号に変化するこの信号の内容は、前記周波数ｆ1を持つと仮定する。前記増幅率Ｍ(ｆ1)は、この信号に対する正確な増幅率となる。
Ａ1．Ｆ2がＡ2．Ｆ1と等しいと仮定する。この状況において、前記周波数成分ｆ1を持つ単一の成分信号が再生されるとすると、制御信号は前記値Ａ2に設定されるＡＧＣ回路及び曲線Ｆ1に設定されるスロープ等化器となることをもたらし、再び増幅率Ｍ(ｆ1)となる。この増幅率は単一の周波数成分信号に対する正確な設定である。しかしながら、他の周波数成分が前記記録担体から読取られる信号に現れるや否や、前記ＡＧＣ及びスロープ等化器の両方は誤って設定され、非常に誤ったビット検知となり、前記記録担体から読取られるデータから離れていく。
本発明はよって、前記記録担体上に記録される単一の周波数デジタル情報信号成分は、再生に関し、これら単一の周波数信号成分を補正する前記ＡＧＣ回路４及び前記スロープ等化回路１２に対する設定となってもよいが、複数の周波数信号成分を含むデジタル情報信号が再生されるとすぐに誤りとなってしまってもよいという認識に基づいている。
本発明に従って、一つの単一の周波数成分を持つアナログ再生信号となる記録すべきデジタル情報信号における長いデータパターンは、記録すべきデータストリームに現れないという必要性がよって存在する。
第３図は、記録担体上にデジタル情報信号を記録する装置の実施例である。この装置は、記録すべきデジタル情報信号を入力するための入力端子３０を有する。この入力端子３０は、チャネル符号化器回路３４の入力部３２に結合され、この回路はチャネル符号化されたデジタル情報信号を書込みユニットに出力するための出力部３６を持つ。このユニットは、本発明の状況において前記記録担体２上にチャネル符号化されたデジタル情報信号を書込む磁気書込みヘッド３８の形であり、この記録担体はハードディスクでもよい。
前記チャネル符号化器は、前記記録担体上に記録するこの様な方法で前記デジタル情報信号を符号化する。様々な制約条件は、チャネル符号化された情報信号によって満たされるべきである。上記制約条件の一つはｋ制約条件であり、前記チャネル符号化された情報信号が前記データ系列において互いに、せいぜいｋ＋１個の‘ｏｎｅｓ’又は‘ｚｅｒｏｅｓ’を含むことを示す。上記制約条件は、記録された情報信号の再生中に十分なビットブロックの回復を実現するため、及び前記再生装置の前記ＡＧＣ回路４における正確なＡＧＣの設定を実現するためにも必要である。加えて、上記に説明されるように、この制約条件は、例えば上記に与えられ、ある単一の周波数成分を持つパターンのような長いデータパターンが記録すべきデータストリームに現れるべきではないことを記録すべきチャネル信号に置くべきである。
第３Ａ図は、第３図の装置の更なる実施例を示す。この装置は、十分既知な従来の方法で、例えば(ｎ−１)ビットの情報語をｎビットのチャネル語に変換するためのチャネル変換器３４Ａを有する。さらに、バッファメモリ３４Ｂは、変換されたデータ語の系列の十分な長さを記憶するために設けられる。検知ユニット３４Ｃは、単一の周波数成分を有する再生に関するアナログ信号にとなる上記で定められたデータパターンを検知するのに役立ち、当該データパターンは所定の長さを超過する。上記検知に関し、制御信号は前記検知器３４Ｃによって極性反転器３４Ｄに出力される。この極性反転器は、所定の長さを超過する上記で定められたデータパターンと一致する場所で変換されたデータ語の系列を反転する。結果として、上記の所定の長さを超過するデータパターンは、半分に分割され、各々の半分は前記所定の長さよりも短くなる。これは以下に説明される他の実施例で説明されるだろう。
第３Ａ図を参照して開示される符号化器は、例えばR.O.Carterによって関連文献のリストおいて文献Ｄ６で開示されるような極性ビット符号化器の特別な型式であることに注意すべきである。
第４図は、上記目的を達成するのに可能なチャネル符号化器で使用可能な、例えば８ビットの情報語を９ビットの変換された語に変換するための変換器及び対応するチャネル復号器で使用可能な対応する９から８ビットへの再変換器を示す。
これらチャネル符号化器及び対応するチャネル復号器は、第５図で示され及び第５図を参照して説明されるだろう。第４図は、８ビットの情報語が９ビットの変換された語に変換されるバイトに関する変換器４０を示す。この変換器４０の入力部３２は、本実施例において、この入力部３２に入力される後続する８ビットの情報語のビットａ8mからａ8m+7をそれぞれ出力するための８個の出力部４２．１から４２．８を持つ直並列変換器に結合される。この変換器４０は、９ビットの後続する変換された語を出力するための９個の出力部４４．１から４４．９を持つ。この出力部４４．５は、‘１’のビットを出力する端子に結合される。さらに、前記直並列変換器４０の出力部４２．４及び４２．５は、この変換器４０の出力部４４．４及び４４．６のそれぞれに直接結合される。この変換器４０は、さらに６個の乗算ユニットを具備する。出力部４２．１は、前記乗算ユニット４６．１の対応入力部に結合され、この乗算ユニットの出力部は、前記変換器４０の出力部４４．１に結合される。出力部４２．２は、ＥＸＯＲゲート４６．２の対応入力部に結合され、このＥＸＯＲゲートの出力部は、前記変換器４０の出力４４．２と前記ＥＸＯＲゲート４６．１の第２入力部とに結合される。出力部４２．３及び４２．４は、乗算ユニット４６．３の対応入力部に結合され、この乗算ユニットの出力部は、前記変換器４０の出力部４４．３と乗算ユニット４６．２の第２入力部に結合される。出力部４２．５及び４２．６は、乗算ユニット４６．４の対応入力部に結合され、この乗算ユニットの出力部は、前記変換器４０の出力部４４．７と乗算ユニット４６．５の対応入力部とに結合される。出力部４２．７は、乗算ユニット４６．５の第２入力部に結合され、この乗算ユニットの出力部は、前記コンバータ４０の出力部４４．８と乗算ユニット４６．６の対応入力部とに結合される。出力部４２．８は、乗算ユニット４６．６の第２出力部に結合され、この乗算ユニットの出力部は、前記変換器４０の出力部４４．９に結合される。
対応する再変換器５０は、ｂ9m，．．．，ｂ9m+8で示される後続する９ビットの変換された語のビット９個を入力部５２．１から５２．９をそれぞれ介して受信する。この再変換器５０は、８個の乗算ユニット５４．１から５４．８の形で８個の乗算ユニットと８個の入力部５８．１から５８．８及びこの再変換器５０の出力部５９に結合される出力部を持つ直並列変換器５６とを具備する。
入力部５２．１及び５２．２は、乗算ユニット５４．１の対応入力部に結合され、この乗算ユニットの出力部は、前記直並列変換器５６の入力部５８．１に結合される。入力部５２．２及び５２．３は、乗算ユニット５４．２の対応入力部に結合され、この乗算ユニットの出力部は、前記直並列変換器５６の入力部５８．２に結合される。入力部５２．３及び５２．４は乗算ユニット５４．３の対応入力部に結合され、この乗算ユニットの出力部は、前記直並列変換器５６の入力部５８．３に結合される。入力部５２．４及び５２．５は、乗算ユニット５４．４の対応入力部に結合され、この乗算ユニットの出力部は、前記直並列変換器５６の入力部５８．４に結合される。入力部５２．５及び５２．６は、乗算ユニット５４．５の対応入力部に結合され、この乗算ユニットの出力部は、前記直並列変換器５６の入力部５８．５に結合される。入力部５２．６及び５２．７は、乗算ユニットゲート５４．６の対応入力部に結合され、この乗算ユニットゲートの出力部は、前記直並列変換器５６の入力部５８．６に結合される。入力部５２．７及び５２．８は、乗算ユニット５６の対応入力部に結合され、この乗算ユニットの出力は、前記直並列変換器５６の入力部５８．６に結合される。入力部５２．８及び５２．９は、乗算ユニット５４．８の対応入力部に結合され、この乗算ユニットの出力は、前記直並列変換器５６の入力５８．８に結合される。前記直並列変換器５６は、当該変換器の入力部に入力される８ビットの並列語を８ビットの再変換された語の直列データ系列に変換する。これら再変換された８ビットの語は、前記入力部３２に入力された本来の８ビットの語と同じである。
極性が反転した９ビットの語において対応する語と同じく９ビットの変換された語は、この再変換器５０によって同じ８ビットの情報語に再変換されるという意味において、前記再変換器５０のキー特性はこの再変換器の極性に対する愚鈍さである。
さらに、上述したような変換器−再変換器の組合せは、前記再変換器５０で誤って受信される１つのビットは、再変換される語において多くて２つの連続するビットに影響する。前記再変換器における誤った伝播は、せいぜい２つの記号間隔に制限されることになる。さらに、誤りは語の境界を越えて伝播しない。
（ｎ−１）ビットの情報語をｎビットの変換された語に変換する変換器に対する第４図の変換器の一般論は、率直に８から９ビットへの変換器の上記議論から終わることに注意すべきである。同じことが一般的な再変換器に関しても話すことができる。上記の一般的な変換器及び再変換器は十分に本発明の範囲内にある。
第４図に示すような変換器−再変換器の組合せは、値｛１，−１｝を持つデジタル信号を変換／再変換することであり、これは送信技術者によって規則正しく用いられるデジタル信号のための表記であることに注意すべきである。このような信号に関し、前記乗算ユニットは、確かに実乗算ユニットである。前記デジタル値｛１，−１｝は、‘ｚｅｒｏｅｓ’を‘−１’ビットに、且つ‘ｏｎｅｓ’を‘１’ビットに変換することによって‘ｚｅｒｏｅｓ’及び‘ｏｎｅｓ’を持つ２進デジタル信号から得られる。
第４図に示すような同様の変換器−再変換器の組合せは、‘ｚｅｒｏｅｓ’及び‘ｏｎｅｓ’を備える‘ｎｏｍａｌ’表記に表される２進信号を直接変換−再変換するのに使用することができる。このような状況において、前記乗算ユニットは、全てＥＸＯＲゲート又はＥＸＮＯＲゲートの形となることが可能である。前記変換器にＥＸＮＯＲゲートを用いる場合、ＥＸＮＯＲゲートも前記再変換器で用いられるべきである。前記変換器にＥＸＯＲゲートを用いる場合、‘０’ビットを前記端子４４．５に出力する必要があり、さらに前記再変換器ユニットも、ＥＸＯＲゲートを用いるべきである。
第７図は、４０'で表される変換器ユニットのもう一つの実施例を示す。この変換器ユニット４０'も前記再変換ユニット５０と共に使用することができる。定数値‘１’がここで前記端子４４．１に出力される事実によって、さらに一つの乗算ユニットがこの変換ユニット４０'に存在する。第４図の前記変換ユニット４０の広域な説明の後にこの変換器ユニット４０'の更なる説明は必要ない。この変換器の多様な他の実施例が可能であることにさらに注意すべきであり、ここで値‘１’は前記変換器ユニットの他の出力端子に出力される。
第５図は、前記情報語をチャネル語に符号化する第３図のチャネル符号化器３４の実施例及び当該チャネル符号化器によって生成されたチャネル語を本来の情報語に復号するのに使用可能な対応チャネル復号器を示す。このチャネル符号化器は、参照番号３４'で表され、第４図を参照して上記で述べられた前記変換器４０を有する。このチャネル符号化器３４'は、さらに極性反転回路６０を有し、この回路はｐmで表される極性制御信号の影響を受けて、前記変換器ユニット４０で出力される変換されたデータストリームの極性を反転可能にする。さらに、制御信号生成器６２は、この極性制御信号ｐmを生成するため及び当該信号ｐmを出力部６８へ出力するために設けられる。
前記極性制御信号は、後で述べるように、各ビットに対し自動的に生成される。変換されたデータストリームの極性を変化することによって、余分な周波数成分は極性反転が起こる境界に発生する。この間に、前記ＡＧＣ回路４及びスロープ等化回路１２は、正しい設定に設定することができる。前記極性制御信号生成回路は、８ビットの本来の情報語と生じた９ビットのチャネル語とからこの極性制御信号ｐmを生成する。この回路は、従って８ビットの各情報語の少なくとも１ビットを入力する第１入力部６４及び９ビットの各チャネル語の少なくとも１ビットを入力する第２入力部６６を持つ。
第６図は、参照番号６２'で特定される極性制御信号生成回路６２の実施例を示す。この生成回路６２'は、乗算ユニットを乗算ユニット７０及び７２の形で有する。この乗算ユニット７０は、各（ｎ−１）ビットの情報語の第１（ＬＳＢ）ビット及び第４ビットを入力するための第１及び第２入力部を持つ。この乗算ユニット７０の出力部は、前記乗算ユニット７２の第１入力部に結合される。この乗算ユニット回路の第２入力部は、各（ｎ−１）ビットの情報語の第５ビットを入力する。
前記生成回路は、さらに２つの乗算回路を乗算ユニット７４及び７６の形で有する。前記乗算ユニット７２の出力部は、この乗算ユニット７４の第１入力部に結合され、この乗算ユニット７４の出力部は、前記生成回路６２'の出力部６８に結合される。前記生成回路６２'の入力部６６は、遅延回路７８を介し前記乗算ユニット７６の第１入力部に結合される。この乗算ユニット７６の出力部は、前記乗算ユニット７４の第２入力部に結合され、この乗算ユニット７６の第２入力部は、‘−１’の信号を入力する。
現在変換された９ビットの語の最後のビットは、入力部６６に入力され、前記遅延ユニット７８で時間間隔９Ｔ以上遅延される。前記生成回路６２'によって生成された極性制御信号は、上述される全てのパターンのランレングスの制限をせいぜい１４にする。
第６図の記載された実施例において、前記回路におけるデジタル信号は、｛−１，１｝表記であると再び仮定する。第６図の回路は、‘ｎｏｍａｌ’２進法｛０，１｝でのデジタル信号を処理するために修正可能である。これは、前記乗算ユニットをＥＸＮＯＲ回路で置き換えることで実現される。この状況において、信号‘０’は前記ユニット７６の第２入力部に入力されるべきである。
前記乗算ユニットを前記ＥＸＯＲで置き換える場合、前記ユニット７６の第２ユニットに入力されるべき信号は‘１’の信号であるべきである。
もう一つの極性制御信号生成器を用いることによって、例えば記録すべき信号がＤＣフリーである必要条件のように、記録すべき信号に対して他の制限を実現することを可能にすることに注意すべきである。
少なくとも９個のデータ記号の長さを持つ上記で与えられた全データパターンを抑制することを可能にする‘ｏｐｔｉｕｍ’極性制御信号生成器は、以下の方程式で表すことができる。
0003976343.tif 000003
ここで、上付バー‘￣’は論理的な否定を表し、‘・’及び‘＋’は論理的なＡＮＤ及びＯＲ操作をそれぞれ表す。この表示は、以下に示す量は始めにマッピング‘−１’→‘１’及び‘＋１’→‘０’に従って論理表記｛０，１｝で書き変えると仮定する。
得られた量ｔmを表記｛−１，１｝に再変換した後、前記極性制御信号ｐmは以下のような方程式で得られる。
0003976343.tif 000004
ここで、‘・’記号は第４図及び６図を参照して開示されたような意味での実乗算を意味する。
本発明の好ましい実施例を参照して、本発明を説明するのに対し、これら実施例は、限定される実施例ではないことを理解すべきである。従って、様々な改良は、請求項で定められるように、本発明の範囲から逸脱することなく、当業者に明白であってもよい。例として、記載された全ての実施例は、磁気的又は光学的に記録及び再変換状況に関する。始めに記載されたように、本発明は同様に例えば放送システムのような送信システムに十分応用可能である。
さらに、本発明は、ここに記載されるように、各々及び全ての新規特性又は特性の組合である。
参照文献リスト
（Ｄ１）  米国特許公報USP5,142,421(PHN13.537)
（Ｄ２）  IEEE Jounal of selected areas in communications,Vol.10,no.1,Jan.1992,pp.38-56,R.D.Cideciyan te al,‘A PRML system for digital magnetic recording’
（Ｄ３）  米国特許公報USP5,469,462(PHN14.147)
（Ｄ４）  ヨーロッパ特許公報EP-A549,030(PHN12.927)
（Ｄ５）  IEEE Trans on Communications, Vol.44,no.6,June 1996,pp.675-685,G.Cherubini et al,‘Adaptive analog equalization and receiver front-end control for multilevel partial-response transmission over metallic cabeles’
（Ｄ６）  Electronics letters,May 1965,Vol.1,no.3,R.O.Catter,‘Low-disparity binary cording system’
【図１】
0003976343.tif 000005
【図２】
0003976343.tif 000006
【図３】
0003976343.tif 000007
【図３Ａ】
0003976343.tif 000008
【図５】
0003976343.tif 000009
【図４】
0003976343.tif 000010
【図６】
0003976343.tif 000011
【図７】
0003976343.tif 000012